【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
組織を貫通して伸びる穿刺を閉塞するための装置であって、組織を貫通する穿刺内に挿入可能な、あらかじめ定められた形状の担体を具え、前記担体が加水分解により分解可能な結合を含む凍結乾燥されたヒドロゲルを含み、前記ヒドロゲルは水性の生理的環境に曝されると拡張し、前記担体がその基端部と先端部の間に伸びる管腔を有することを特徴とする装置。
【請求項２】
前記あらかじめ定められた形状が、円盤形、中実の円筒形、圧延シートの円筒形、または折りたたみシートの円筒形を含む、請求項１記載の装置。
【請求項３】
前記担体の管腔の中を滑動可能な細長い本体を具備した位置決め部材、および前記細長い本体の先端部に拡張部材を更に具備する、請求項１または２記載の装置。
【請求項４】
内側に管腔を有するカートリッジを更に具え、担体が前記カートリッジの管腔内に滑動可能に配置されている、請求項１乃至３のいずれか１項に記載の装置。
【請求項５】
前記カートリッジの管腔から担体を展開させるための、管腔内を滑動できるプッシャ部材をさらに具える、請求項４記載の装置。
【請求項６】
前記担体が、前記担体の露出面の少なくとも一部に接着層を更に含んでいる、請求項１乃至５のいずれか１項に記載の装置。
【請求項７】
組織を貫通して伸びる穿刺を閉塞するための装置において：
凍結乾燥されたヒドロゲルを含み、前記組織を貫通する穿刺内に挿入可能な、あらかじめ定められた形状をした担体であって、前記ヒドロゲルは水性の生理的環境に曝された時に拡張し、前記担体がその基端部と先端部の間を伸びている管腔を具備している担体と；
前記担体の露出面の少なくとも一部の上にある接着層であって、水性の生理的環境に曝されるまでは非反応状態にとどまる第一および第二ヒドロゲルの混合物を含む接着層とを具えることを特徴とする装置。
【請求項８】
接着層がｐＨ活性化剤を更に含んでいる、請求項７記載の装置。
【請求項９】
前記担体が、円盤形、中実の円筒形、圧延シートの円筒形、または折りたたみシートの円筒形をした細長い本体を具える、請求項７記載の装置。
【請求項１０】
組織を貫通して伸びる穿刺を閉塞するための器具であって：
基端部、組織を貫通している穿刺内への挿入に適した大きさの先端部、および前記基端部と先端部の間に伸びる管腔を具えるカートリッジと；
前記カートリッジの管腔内に滑動可能に配置された栓であって、加水分解により分解可能な結合を含む凍結乾燥ヒドロゲルで構成され、前記ヒドロゲルは水性の生理的環境に曝されると拡張し、その基端部と先端部の間を伸びる管腔を具備している栓と；
前記カートリッジ管腔内を滑動できる、前記カートリッジから栓を展開するためのプッシャ部材とを含むことを特徴とする器具。
【請求項１１】
前記栓が、その露出面の少なくとも一部に配置された接着層を更に含み、前記接着層が水性の生理的環境に曝されるまでは非反応状態にとどまる第一および第二前駆体を含んでいる、請求項１０記載の器具。
【請求項１２】
前記接着層がｐＨ調整剤をさらに含んでいる、請求項１１記載の器具。
【請求項１３】
担体の基端部および先端部が接着層を含んでいない、請求項１１記載の器具。
【請求項１４】
前記栓の管腔内を滑動できる細長の部材と、前記細長の部材の先端部に担持された拡張可能な閉鎖要素を有する位置決め部材とを更に具える、請求項１０記載の器具。
【請求項１５】
前記細長の部材を、前記栓とカートリッジの管腔を通して、前記カートリッジ、栓、及びプッシャ部材が前記位置決め部材の近位位置から遠位位置へ前進可能なように受けており、前記栓が前記位置決め部材近傍に配置されている、請求項１４に記載の器具。
【請求項１６】
前記プッシャ部材が前記遠位位置に前進したときの前記位置決め部材に対する前記プッシャ部材の連続動作を制限する協働エレメントを前記押出し部材と前記位置決め部材の上に更に具える、請求項１５に記載の器具。
【請求項１７】
前記協働エレメントが前記プッシャ部材が前記遠位位置から近位側へ引っ込むるのを防止する、請求項１６に記載の器具。
【請求項１８】
前記協働エレメントが、前記プッシャ部材と前記位置決め部材の上に第１及び第２のエレメントを具え、前記第１のエレメントが前記カートリッジ、栓、及びプッシャ部材が前記遠位位置へ前進するときに前記第２のエレメントを自在に通過し、前記第２のエレメントは、それ以降、前記第１のエレメントが前記第２のエレメントを越えて近位側へ戻ることを防止し、これによって、前記プッシャ部材が前記遠位位置から近位側へ引っ込むのを防止する、請求項１６に記載の器具。
【請求項１９】
前記遠位位置において前記栓が前記位置決め部材に直接隣接して配置されている、請求項１６に記載の器具。
【請求項２０】
前記協働エレメントによって、前記位置決め部材が拡大したときに前記プッシャ部材と前記位置決め部材の間で前記栓が圧縮されるように、前記プッシャ部材を前記遠位位置から遠位側へ方向付ける、請求項１６に記載の器具。
【請求項２１】
前記栓が前記位置決め部材に直接隣接して配置されるように、前記細長の部材を前記栓と前記カートリッジとのルーメンで受けている、請求項１４に記載の器具。
【請求項２２】
前記プッシャ部材が前記位置決めエレメントに対して近位側に引っ込むことを防止する協働エレメントを前記プッシャ部材と前記位置決め部材との上に更に具える、請求項２１に記載の器具。
【請求項２３】
前記協働エレメントが、前記プッシャ部材と前記位置決め部材との上に第１及び第２のエレメントを具える、請求項２２に記載の器具。
【請求項２４】
前記第１エレメントがラッチエレメントを具える、請求項１８又は２３に記載の器具。
【請求項２５】
前記第２エレメントが凸状エレメントを具える、請求項１８又は２３に記載の器具。
【請求項２６】
前記協働エレメントによって、前記位置決め部材が拡大したときに、前記プッシャ部材と前記位置決め部材の間で前記栓が圧縮されるように、前記プッシャ部材を前記位置決めエレメントに対して遠位側へ方向付ける、請求項２２に記載の器具。
【請求項２７】
前記位置決め部材が折りたたんだ前記位置決め部材を用いて前記プッシャ部材を通って除去可能であり、これによって、前記プッシャ部材が後退する前に穿刺から前記位置決め部材を後退させるようにして、前記位置決め部材が後退する間に前記プッシャ部材が、前記栓が近位側へ移動することを防止する、請求項１４乃至２６のいずれか１項に記載の器具。
【請求項２８】
前記カートリッジが前記プッシャ部材に対して引き込み可能であり、前記プッシャ部材が前記カートリッジが引っ込んでいる間に、前記栓が近位側に移動することを防止する遠位端を具える、請求項１０乃至２７のいずれか１項に記載の器具。
【請求項２９】
さらに、基端部と、組織を貫通する穿刺内への挿入に適した大きさの先端部と、内側にカートリッジを受けるために前記基端部と先端部の間に伸びる管腔とを具える、請求項１０乃至２８のいずれか１項に記載の器具。
【請求項３０】
前記栓が、円盤形、中実の円筒形、圧延シートの円筒形、または折りたたみシートの円筒形をした細長い本体を具える、請求項１０乃至２９のいずれか１項に記載の器具。
【請求項３１】
組織を貫通して伸びる穿刺を閉塞するための装置であって：
あらかじめ定められた形状の担体と；
前記担体の外面の少なくとも一部に配置された第一ヒドロゲル前駆体と；
前記担体の外面に配置された第二ヒドロゲル前駆体とを具え、前記第一および第二前駆体は水性の生理的環境に曝されるまで前記担体上で非反応状態にとどまるが、これに曝されると第一および第二前駆体は反応してヒドロゲルを形成する装置。
【請求項３２】
前記あらかじめ定められた形状が円盤形、中実の円筒形、圧延シートの円筒形、または折りたたみシートの円筒形を含む、請求項３１記載の装置。
【請求項３３】
前記担体が、その基端部と先端部の間を伸びている管腔を具える、請求項３１または３２記載の装置。
【請求項３４】
前記担体がヒドロゲルを含んでいる、請求項３１乃至３３のいずれか１項に記載の装置。
【請求項３５】
前記ヒドロゲルがＰＥＧを含んでいる、請求項３４記載の装置。
【請求項３６】
前記担体が凍結乾燥または脱水されたヒドロゲルを含んでいる、請求項３１乃至３３のいずれか１項に記載の装置。
【請求項３７】
前記担体がプロトロンビン物質（pro-thrombotic material）を含んでいる、請求項３１乃至３３のいずれか１項に記載の装置。
【請求項３８】
前記担体が、コラーゲン、フィブリン、カルボキシメチルセルロース、酸化セルロース、およびゼラチンから成る群より選択された物質を含んでいる、請求項３７記載の装置。
【請求項３９】
さらに前記担体外側の少なくとも一部に配置された活性化剤を含み、当該活性化剤が、第一および第二ヒドロゲル前駆体の反応を水性の生理的環境に曝された時に反応を促進または開始する、請求項３１記載の装置。
【請求項４０】
前記活性化剤が、水性の生理的環境のｐＨを変更して第一および第二ヒドロゲル前駆体の反応を開始させるｐＨ活性化剤を含む、請求項３９記載の装置。
【請求項４１】
前記ｐＨ活性化剤が、担体に担持された複数の粒子を含んでいる、請求項３９記載の装置。
【請求項４２】
第一および第二ヒドロゲル前駆体が、担体の外面の少なくとも一部のコーティングを含んでいる、請求項３１記載の装置。
【請求項４３】
前記担体が多孔性であり、第一および第二ヒドロゲル前駆体が担体の外面の孔の中に少なくとも一部伸びている、請求項４２記載の装置。
【請求項４４】
組織を貫通して伸びる穿刺を閉塞する器具であって：
基端部、穿刺を通る挿入に適した大きさの先端部、前記基端部と先端部の間を伸びる管腔、および前記管腔と連絡している先端開口部を具える管状部材と；
前記管腔内に配置された栓であって、コアの外側の少なくとも一部に配置されている第一および第二前駆体を含み、前記第一および第二前駆体は組織中の水性の生理的環境に曝されるまでは非反応状態に留まり、曝されるとすぐに前記第一および第二前駆体は反応して前記コアの周囲に接着物を形成する栓と；
前記管状部材の管腔内を摺動可能であり、前記栓を前記管腔の中を通して前記管状部材の先端開口部の外で展開させるためのプッシャ部材、を具える器具。
【請求項４５】
前記栓がその基端部および先端部の間を伸びている管腔を具えるとともに、前記器具がさらに細長い位置決め部材を具え、当該位置決め部材はその先端部に拡張可能な要素を有しており、前記位置決め部材が管状部材の管腔および栓の管腔を通過するのに適した寸法である請求項４４記載の器具。
【請求項４６】
さらにコア外側の少なくとも一部に配置された活性化剤を含み、水性の生理的環境に曝された時に前記活性化剤が第一および第二前駆体の反応を促進または開始する、請求項４４または４５に記載の器具。
【請求項４７】
前記第一および第二前駆体がヒドロゲルを含み、かつ活性化剤が水性の生理的環境のｐＨを変更して前記第一および第二ヒドロゲル前駆体の反応を開始させるｐＨ活性化剤を含んでいる、請求項４６記載の器具。
【請求項４８】
前記ｐＨ活性化剤が、コアの外面上に複数の粒子を含んでいる、請求項４７記載の器具。
【請求項４９】
前記コアが、円盤形、中実の円筒形、圧延シートの円筒形、または折りたたみシートの円筒形をした細長い本体を具える、請求項４４記載の器具。